(57)【要約】【課題】対象物をスペーサとともにポストに固定する際に、スペーサが脱落したりずれたりすることを防止可能な間隔調整用スペーサ、間隔調整構造、並びにカメラモジュールを提供する。【解決手段】ねじ１５が貫通する貫通穴１２が形成された対象物１１と、前記ねじ１５が挿入されるポスト１６と、前記ねじ１５によって対象物１１とともに固定され、前記対象物１１と前記ポスト１６との間隔を調整する間隔調整用スペーサ１とを備え、前記間隔調整用スペーサ１が、前記ねじ１５が貫通する穴部２と、前記穴部２より大径であり、前記ポスト１６の先端と嵌合する凹部３とを有する。【選択図】  図１
2011070072.tif 000002
【特許請求の範囲】
【請求項１】
ねじによって対象物とともにポストに固定され、前記対象物と前記ポストとの間隔を調整する間隔調整用スペーサにおいて、
前記ねじが貫通する穴部と、
前記穴部より大径であり、前記ポストの先端と嵌合する凹部とを備えることを特徴とする間隔調整用スペーサ。
【請求項２】
前記凹部が設けられた面とは反対側に、前記凹部と嵌合可能な凸部が設けられていることを特徴とする請求項１記載の間隔調整用スペーサ。
【請求項３】
前記凹部の深さより前記凸部の高さの方が大きいことを特徴とする請求項２に記載の間隔調整用スペーサ。
【請求項４】
請求項２又は３に記載の間隔調整用スペーサを複数含み、隣接する前記間隔調整用スペーサ同士の前記凹部と前記凸部が嵌合してなることを特徴とするスペーサセット。
【請求項５】
ねじが貫通する貫通穴が形成された対象物と、
前記ねじが挿入されるポストと、
前記ねじによって前記対象物とともに前記ポストに固定され、前記対象物と前記ポストとの間隔を調整する間隔調整用スペーサとを備え、
前記間隔調整用スペーサが、
前記ねじが貫通する穴部と、
前記穴部より大径であり、前記ポストの先端と嵌合する凹部とを有することを特徴とする間隔調整構造。
【請求項６】
前記間隔調整用スペーサは、前記凹部が設けられた面とは反対側に、前記凹部と嵌合可能な凸部が設けられていることを特徴とする請求項５記載の間隔調整構造。
【請求項７】
前記凹部の底面から前記凸部の頂面までの厚さが異なる前記間隔調整用スペーサを複数含むスペーサセットを備えることを特徴とする請求項６記載の間隔調整構造。
【請求項８】
レンズと、
前記レンズから入射した光を光電変換する撮像素子と、
前記撮像素子が搭載され、前記撮像素子の周囲にねじが貫通する貫通穴が形成された基板と、
前記レンズを保持し、前記ねじが挿入されるポストを含むレンズ保持体と、
前記ねじによって前記基板とともに前記ポストに固定され、前記基板と前記ポストとの間隔を調整する間隔調整用スペーサとを備え、
前記間隔調整用スペーサが、
前記ねじが貫通する穴部と、
前記穴部より大径であり、前記ポストの先端と嵌合する凹部とを有することを特徴とするカメラモジュール。
【発明の詳細な説明】
【技術分野】
【０００１】
本発明は、対象物とポストとの間隔を調整するための間隔調整用スペーサ、間隔調整構造、並びにカメラモジュールに関するものである。
【背景技術】
【０００２】
従来から、２つの部材の間隔を調整するための間隔調整用スペーサとして、ワッシャタイプのスペーサが多く用いられている。
このワッシャタイプのスペーサを用いた間隔調整構造の一例を図１０に示す。これは、ポスト６２の先端に設けられたピン６１に円環状のスペーサ６４を挿入し、スペーサ６４の上から対象物６０を挿入して、ピン６１の先端をナットで締結したり、ピン６１と対象物６０とを半田付けや接着により固定してなる。スペーサ６４の厚さを調整したり、スペーサ６４を複数重ねて介装することにより対象物６０とポスト６２との間隔を調整できるようになっている。
【０００３】
しかしこの間隔調整構造は、ピン６１をポスト６２に圧入して製造する場合、ピン６１がポスト６２に対して傾くことがあり製造精度を高くすることは困難であった。また、ピン６１と対象物６０とを半田付けで固定する場合、熱が加わることによりピン６１が傾くこともあり、対象物６０とポスト６２の相対位置精度が要求される製品には使用しにくかった。また、ピン６１とポスト６２をインサート成形する場合は、コストが高くなるという問題があった。
【０００４】
そこで、図１１に示すように、ポスト６５にねじ穴６６を形成し、対象物６０とポスト６５との間に円環状のスペーサ６８を介装した状態でねじ６７によってこれらを固定する間隔調整構造が広く用いられている。
この間隔調整構造は、例えばカメラモジュールのピント調整に用いられている。カメラモジュールにおいては、レンズホルダに形成されたポストと、撮像素子を搭載した基板との間隔をスペーサによって調整することで、ピント調整を行なっている。
【０００５】
また、ワッシャタイプとは別のスペーサとして、特許文献１（特開２０００−９９８２号公報）に、撮像素子の取付基準面と撮像素子との間に介装される薄板状のスペーサが開示されている。撮像素子の取付基準面は、レンズを保持するレンズホルダに形成されている。
これは、複数のねじによってスペーサの端部が固定されており、スペーサの厚さ又は枚数によって撮像素子の取付基準面と撮像素子との間隔を調整し、ピント調整を行なうようになっている。
【先行技術文献】
【特許文献】
【０００６】
【特許文献１】特開２０００−９９８２号公報
【発明の概要】
【発明が解決しようとする課題】
【０００７】
しかしながら、特許文献１に開示される薄板状のスペーサは、対象物の略全面に当接するため、対象物上でスペーサが配置される部位には他の機器を搭載することができず、用途が限定されてしまうという問題があった。また、レンズホルダに保持されるレンズの光軸と、撮像素子とが直交していない場合、レンズホルダ側の撮像素子の取付基準面と撮像素子との傾き調整が必要となるが、薄板状のスペーサでは、取付基準面と撮像素子とを締結する複数のねじにおいて、それぞれを独立して間隔調整できないため、取付基準面と撮像素子の傾き調整を行なうことができなかった。
また、ワッシャタイプのスペーサは、組み付け時にスペーサが脱落したりずれたりするおそれがある。さらに、スペーサがずれた状態で対象物の上からねじ止めすると、製品の精度が低下してしまうという問題があった。
【０００８】
そのため本発明においては、対象物をスペーサとともにポストに固定する際に、スペーサが脱落したりずれたりすることを防止可能な間隔調整用スペーサ、間隔調整構造、並びにカメラモジュールを提供することを目的とする。
【課題を解決するための手段】
【０００９】
上記課題を解決するため、本発明に係る間隔調整用スペーサは、ねじによって対象物とともにポストに固定され、前記対象物と前記ポストとの間隔を調整する間隔調整用スペーサにおいて、前記ねじが貫通する穴部と、前記穴部より大径であり、前記ポストの先端と嵌合する凹部とを備えることを特徴とする。
【００１０】
この間隔調整用スペーサはポストに嵌合する凹部を備えているため、間隔調整用スペーサを組み込む際にスペーサが脱落したりずれたりすることを防止できる。さらに、ポストの中心軸と間隔調整用スペーサの中心軸を一致させることができるため、間隔調整が容易となる。
【００１１】
また、前記凹部が設けられた面とは反対側に、前記凹部と嵌合可能な凸部が設けられていることが好ましい。
これは、間隔調整用スペーサに凸部を設けているため、複数の間隔調整用スペーサを重ねて使用する際に、一の間隔調整用スペーサの凸部を他のスペーサの凹部と嵌合させることで、スペーサの組み込み時にスペーサが脱落したりスペーサ同士がずれたりすることを防止できる。また、複数の間隔調整用スペーサの中心軸を全て一致させることができるため、間隔調整が容易となる。
【００１２】
さらに、前記凹部の深さより前記凸部の高さの方が大きいことが好ましく、これにより、間隔調整用スペーサを重ねて使用した際に、凹部が形成された面と、この凹部に嵌合したスペーサの外周の段差部とが接触することを防止し、対象物とポストとの間隔調整を適切に行なえる。
【００１３】
また、本発明に係る間隔調整用スペーサセットは、上記した間隔調整用スペーサを複数含み、隣接する前記間隔調整用スペーサ同士の前記凹部と前記凸部が嵌合してなることが好ましい。
このように、間隔調整用スペーサの凹部と凸部を嵌合させて複数のスペーサを重ねて用いることにより、対象物とポストとの間隔調整を容易に且つ精度良く行なうことができる。さらに、間隔調整用スペーサの組み合わせ枚数を選択することで、対象物とポストとの間隔を所望の間隔にきめ細かく設定することが可能となる。
【００１４】
また、本発明に係る間隔調整構造は、ねじが貫通する貫通穴が形成された対象物と、前記ねじが挿入されるポストと、前記ねじによって前記対象物とともに前記ポストに固定され、前記対象物と前記ポストとの間隔を調整する間隔調整用スペーサとを備え、前記間隔調整用スペーサが、前記ねじが貫通する穴部と、前記穴部より大径であり、前記ポストの先端と嵌合する凹部とを有することを特徴とする。
この間隔調整構造によれば、対象物とポストとの間隔調整時に間隔調整用スペーサが脱落したりずれたりすることを防止でき、容易に且つ精度良く間隔調整を行なうことが可能である。
【００１５】
さらに、前記間隔調整用スペーサは、前記凹部が設けられた面とは反対側に、前記凹部と嵌合可能な凸部が設けられていることが好ましい。
これにより、スペーサの組み込み時にスペーサが脱落したりスペーサ同士がずれたりすることを防止できる。また、複数の間隔調整用スペーサの中心軸を全て一致させることができるため、間隔調整が容易となる。
【００１６】
さらにまた、前記凹部の底面から前記凸部の頂面までの厚さが異なる前記間隔調整用スペーサを複数含む間隔調整用スペーサセットを備えることが好ましい。
このように、厚さが異なる間隔調整用スペーサを複数組み合わせて用いることで、対象物とポストとの間隔を所望の間隔にきめ細かく設定することが可能となる。
【００１７】
また、本発明に係るカメラモジュールは、レンズと、前記レンズから入射した光を光電変換する撮像素子と、前記撮像素子が搭載され、前記撮像素子の周囲にねじが貫通する貫通穴が形成された基板と、前記レンズを保持し、前記ねじが挿入されるポストを含むレンズ保持体と、前記ねじによって前記基板とともに前記ポストに固定され、前記基板と前記ポストとの間隔を調整する間隔調整用スペーサとを備え、前記間隔調整用スペーサが、前記ねじが貫通する穴部と、前記穴部より大径であり、前記ポストの先端と嵌合する凹部とを有することを特徴とする。
【００１８】
このカメラモジュールにおいて、間隔調整用スペーサは、主に撮像素子とレンズ間の距離を調整するピント調整に用いられる。尚、レンズは、少なくとも一枚のレンズを含むものとする。すなわち、レンズは一枚のレンズから構成されていてもよいし、複数のレンズ、又は他の光学素子を含んでいてもよい。
このカメラモジュールによれば、間隔調整用スペーサがレンズ保持体のポストに嵌合する凹部を有しているため、カメラモジュールを組み付ける際にスペーサが脱落したりずれたりすることがなく、組み付けが容易に行なえる。さらに、ポストの中心軸と間隔調整用スペーサの中心軸を一致させることができるため、カメラモジュールを組み付ける際に光軸が傾くことを防止できる。
【発明の効果】
【００１９】
本発明によれば、間隔調整用スペーサが、ポストに嵌合する凹部を備えているため、間隔調整用スペーサを組み込む際にスペーサが脱落したりずれたりすることを防止できる。また、ポストの中心軸と間隔調整用スペーサの中心軸を一致させることができるため、間隔調整が容易となる。
【図面の簡単な説明】
【００２０】
【図１】本発明の実施形態に係る間隔調整構造を示す断面図である。
【図２】本発明の実施形態に係る間隔調整用スペーサを示す図であり、（ａ）は断面図、（ｂ）は底面図である。
【図３】図２の変形例を示す間隔調整用スペーサの断面図である。
【図４】図３の間隔調整用スペーサを用いた間隔調整構造を示す断面図である。
【図５】本発明の実施形態に係るカメラモジュールの断面図である。
【図６】図５の変形例を示すカメラモジュールの断面図である。
【図７】図５の他の変形例を示すカメラモジュールの断面図である。
【図８】（ａ）スペーサの種類を示す表で、（ｂ）スペーサの組み合わせを示す表である。
【図９】図５の他の変形例を示すカメラモジュールの断面図である。
【図１０】従来の間隔調整構造の断面図である。
【図１１】従来の間隔調整構造の他の例を示す断面図である。
【発明を実施するための形態】
【００２１】
以下、図面を参照して本発明の好適な実施例を例示的に詳しく説明する。但しこの実施例に記載されている構成部品の形状等は、この発明の範囲をそれに限定する趣旨ではなく、単なる説明例に過ぎない。
【００２２】
まず最初に、図１乃至図４を用いて、本発明の実施形態に係る間隔調整用スペーサ１につき説明する。
図１は本発明の実施形態に係る間隔調整構造を示す断面図で、図２は本発明の実施形態に係る間隔調整用スペーサを示す図である。
【００２３】
図１に示すように、間隔調整用スペーサ（以下、単にスペーサという）１は、対象物１１とポスト１６との間隔を調整するために用いられ、ねじ１５によって対象物１１とともにポスト１６に固定される。
図２（ａ）に示すように、スペーサ１は、柱状に形成されており、主に、中心軸に沿って貫通した穴部２と、穴部２より大径である凹部３とにより構成される。
凹部３は、スペーサ１の一端側の面５に形成され、穴部２に連通している。図２（ｂ）に示すように穴部２と凹部３は同心円状に形成されている。尚、図２（ｂ）は、（ａ）のスペーサ１を矢印Ａ方向から見た底面図である。
また、凹部３はポスト１６の先端が嵌合する形状を有している。
【００２４】
図１に示すように、凹部３が形成された面５とは反対側の面６と、凹部底面７とは、互いに平行な平坦面となっている。
さらに、凹部３が形成された面とは反対側の面６と、凹部底面７との厚さｄは、対象物１１とポスト１６の間に必要とされる間隔に設定されている。
このように、スペーサ１が、ポスト１６に嵌合する凹部３を有することにより、スペーサ１を組み込む際にこのスペーサ１が脱落したりずれたりすることを防止できる。さらに、ポスト１６の中心軸とスペーサ１の中心軸を一致させることができるため、間隔調整が容易となる。
【００２５】
図３は図２の変形例を示すスペーサの断面図である。
このスペーサ１は、凹部３が形成された面５とは反対側の面６に、凹部３と嵌合可能な凸部４を有している。凸部４の頂面６は凹部底面７に平行な平坦面となっている。この凸部４を有することにより、スペーサ１の外周は軸方向に段差部８が形成された形状となる。
【００２６】
このように、スペーサ１が凸部４を有することにより、図４に示すように複数のスペーサ１Ａ、１Ｂを重ねて用いる際に、スペーサ１Ａの凸部４Ａをスペーサ１Ｂの凹部３Ｂと嵌合させることで、スペーサ１Ａ、１Ｂの組み込み時にこのスペーサ１Ａ又はスペーサ１Ｂが脱落したり、スペーサ１Ａとスペーサ１Ｂが互いにずれたりすることを防止できる。また、複数のスペーサ１Ａ、１Ｂの中心軸を一致させることができるため間隔調整が容易となる。
【００２７】
また、図３に示すようにスペーサ１の凸部４の高さＨ２は、凹部３の深さＨ１よりも大きいことが好ましい。これにより、図４に示すようにスペーサ１Ａ、１Ｂを重ねて用いる際に、スペーサ１Ａの段差部８Ａと、スペーサ１Ｂの凹部３Ｂが形成された面５Ｂとが接触することがなく、ポスト１６と対象物１１との間隔調整を適切に行なえる。
【００２８】
図４を参照して、本発明の実施形態に係るスペーサセット１０を説明する。
このスペーサセット１０は、複数のスペーサ１Ａ、１Ｂを含む。すなわち、このスペーサセット１０は、ポスト１６の先端に嵌合される凹部３Ａを有したスペーサ１Ａと、スペーサ１Ａの凸部４Ａに嵌合される凹部３Ｂを有したスペーサ１Ｂとにより構成される。
このスペーサセット１０の詳細については、これを含むカメラモジュールとともに後で説明する。
【００２９】
図１及び図４を参照して、本発明の実施形態に係る間隔調整構造を説明する。図１は、凸部を有していないスペーサ１を用いた場合の間隔調整構造を示し、図４は凸部４を有するスペーサ１Ａ、１Ｂを複数重ねて用いた場合の間隔調整構造を示す。
【００３０】
図１に示す間隔調整構造は、主に、貫通穴１２を有する対象物１１と、ねじ１５が挿入されるポスト１６と、ねじ１５によって対象物１１とともに固定されるスペーサ１とにより構成される。
ねじ１５は、外周にねじ山を有する雌ねじである。
対象物１１は、少なくともスペーサ１により間隔調整される部位が、表裏両面に平坦面を含む板状であり、この板状の部位を貫通する貫通穴１２を有している。貫通穴１２は、ねじ山が形成されたねじ１５の軸より大径で、且つねじ１５のねじ頭より小径に形成されている。
【００３１】
ポスト１６は、柱状に形成され、先端側にねじ１５が螺合されるねじ穴１７を有している。ポスト１６は、例えば対象物１１とは別の部材に形成されたもので、別の部材にこのポスト１６が複数設けられていてもよい。ねじ穴１７は、開口よりも奥がテーパ状に縮径した形状であってもよい。
スペーサ１は、一端側の面５に凹部３が形成されている。スペーサ１の詳細な構成については上記した構成と同様であるため省略する。
【００３２】
対象物１１とポスト１６との間を間隔調整する際には、スペーサ１の凹部底面７と、凸部の頂面６との厚さｄ（図２参照）を選択することで、対象物１１とポスト１６との間を所望の間隔に設定できる。
この間隔調整構造によれば、対象物１１とポスト１６との間隔調整時にスペーサ１が脱落したりずれたりすることを防止でき、容易に且つ精度良く間隔調整を行なうことが可能である。
【００３３】
図４に示す間隔調整構造は、凹部３Ａ、３Ｂと凸部４Ａ、４Ｂとを有するスペーサ１Ａ、１Ｂを重ねて用いている。
この間隔調整構造は、ポスト１６の先端が凹部３Ａに嵌合した状態でスペーサ１Ａが配置され、スペーサ１Ａの凸部４Ａがスペーサ１Ｂの凹部３Ｂに嵌合した状態でスペーサ１Ｂが配置され、これらのスペーサ１Ａ、１Ｂとともに対象物１１がねじ１５によって固定された構成となっている。
対象物１１とポスト１６との間を間隔調整する際には、スペーサ１Ａ、１Ｂの凹部底面と、凸部の頂面との厚さｄ（図３参照）及び組み合わせ枚数を選択することで、対象物１１とポスト１６との間を所望の間隔に設定できる。
【００３４】
このように、スペーサ１Ａ、１Ｂの凸部４Ａ、４Ｂと凹部３Ａ、３Ｂを嵌合させて複数のスペーサ１Ａ、１Ｂを重ねて用いることにより、対象物１１とポスト１６との間隔調整を容易に且つ精度良く行なうことができる。さらに、スペーサ１Ａ、１Ｂの厚さ及び組み合わせ枚数を選択することで、対象物１１とポスト１６との間を所望の間隔にきめ細かく設定することが可能となる。
【００３５】
図５は本発明の実施形態に係るカメラモジュールの断面図である。
このカメラモジュールは、主に、レンズ群２０と、レンズ群２０を保持し、ポスト３２を含むレンズホルダ（レンズ保持体）３０と、レンズ群２０から入射した光を光電変換する撮像素子４２と、撮像素子４２が搭載される基板４０と、基板４０とポスト３２の間に介装され、撮像素子４２とレンズ２０の間隔を調整するスペーサ１とにより構成される。
【００３６】
レンズ群２０は、少なくとも一枚のレンズを含む。レンズ群２０は、レンズとともに、レンズ以外の光学素子を含んでいてもよい。レンズ以外の光学素子とは、絞り、光学フィルタ、プリズム等である。尚、レンズ、又はレンズ以外の光学素子の数、種類及び組み合わせは限定されない。図５にレンズ群２０の一例を示す。このレンズ群２０は、撮像素子４２とは反対側（被写体側）から順に、被写体側が凸で撮像素子側が凹の第１レンズ２１、撮像素子側が凹の第２レンズ２２、両面が凸の第３レンズ２３、被写体側が凹で撮像素子側が凸の第４レンズ２４が配置され、第３レンズ２３と第４レンズの間にスペーサ２５が介装された構成を備える。
【００３７】
レンズホルダ３０は、レンズ群２０を保持するレンズ保持部３１と、レンズ保持部３１の周囲に形成されたポスト３２とを有する。
ポスト３２は、柱状に形成され、先端側にねじ１５が螺合されるねじ穴３３を有している。ねじ穴３３は、開口よりも奥がテーパ状に縮径した形状であってもよい。
また、ポスト３２は、レンズ保持部３１に保持されるレンズ群２０の光軸と平行に立設されている。このポスト３２は、レンズ保持部３１の周囲に複数形成されており、好適には互いに離間させて３本以上形成されていることが好ましい。これにより、スペーサ１で撮像素子４２とレンズ群２０とのピント調整を行なう際に、光軸を精度よく維持できる。
さらに、レンズホルダ３０の被写体側には、レンズ群２０に光が入射するための開口部３４が形成されている。この開口部３４には、レンズ群２０を組み込んだ後にこれらを固定する固定環３９が嵌め込まれるようになっている。同様にレンズホルダ３０の撮像素子４２側には、レンズ群２０に入射した光が出射するための開口部３５が形成されている。
【００３８】
撮像素子４２は、ＣＣＤ（電荷結合素子）やＣＭＯＳ（金属酸化膜半導体素子）、フォトダイオード、フォトトランジスタ等の光電変換デバイスを含み、レンズ群２０により結像した光を受光して電気信号に変換する。
基板４０は、半田付け等により撮像素子４２が固定されており、撮像素子４２の周囲に、貫通穴４１を有している。貫通穴４１は、ポスト３２に対応した位置に設けられ、ねじ１５の軸より大径で且つねじ頭より小径に形成されている。
【００３９】
レンズホルダ３０のポスト３２と基板４０との間には、一つのスペーサ１を介装してもよいし、複数のスペーサ１からなるスペーサセット１０を介装してもよい。図５では一例として一つのスペーサ１を介装した状態のカメラモジュールを示している。このスペーサ１は、一端側の面に凹部３が形成され、外周に段差部がない柱状となっている。
スペーサ１の厚さ（図２の厚さｄ参照）を選択することで、レンズホルダ３０のポスト３２と基板４０との間隔を調整し、これにより撮像素子４２とレンズ群２０との距離を調整してピント調整を行なうようになっている。
【００４０】
このカメラモジュールによれば、スペーサ１がレンズホルダ３０のポスト３２に嵌合される凹部３を有しているため、カメラモジュールを組み付ける際にスペーサ１が脱落したりずれたりすることがなく、組み付けが容易に行なえる。
【００４１】
図６は、図５の変形例を示すカメラモジュールの断面図である。
このカメラモジュールは、図５に示すスペーサとは異なるスペーサ１を用いている。ここで用いられるスペーサ１は、一端側の面に形成された凹部３と、凹部３が形成された面とは反対側の面に形成された凸部４とを有している。したがって、スペーサ１を複数重ねる場合に、隣接するスペーサ１の凸部と凹部とを嵌合させることで、スペーサ同士がずれることを防止し、容易にピント調整を行なうことが可能となる。
【００４２】
図７は、図５の他の変形例を示すカメラモジュールの断面図である。
このカメラモジュールは、凹部と凸部を有するスペーサ１を複数重ねて用いている。すなわち、レンズホルダ３０のポスト３２先端に凹部３Ａを嵌合させたスペーサ１Ａと、スペーサ１Ａの凸部４Ａにスペーサ１Ｂの凹部３Ｂを嵌合させたスペーサ１Ｂとからなるスペーサセット１０を用いている。重ねるスペーサ１Ａ、１Ｂの個数は限定されない。
【００４３】
また、厚さｄ（図３の厚さｄ参照）が同一又は異なるスペーサ１Ａ、１Ｂを複数組み合わせて、撮像素子４２とレンズ群２０との距離を調整してピント調整を行なうことが好ましい。これにより、スペーサ１Ａ、１Ｂの使用数を少なくすることが可能である。
例えば、図８（ａ）の表に示すように、厚さβを基準として前後０．０１ｍｍピッチで異なる厚さの５種類のスペーサを準備する。図８（ｂ）の表に示すように、レンズホルダ３０のポスト３２と基板４０との間に必要な間隔が、αを基準として前後０．０１ｍｍピッチで段階的に９パターン存在し、間隔αは厚さβのスペーサ２枚で調整できる場合、５種類のスペーサを適宜組み合わせることにより９パターンの全てに対して適した間隔に設定できる。
【００４４】
図９は、図５の他の変形例を示すカメラモジュールの断面図である。
このカメラモジュールは、撮像素子４２が基板４０に対して平行に固定されていない場合や、レンズ群２０の光軸とポスト３２とが平行になっていない場合などにより、レンズ群２０の光軸と撮像素子４２とが直交していないときに適用される。
図９に示すように、複数のポスト３２において、スペーサ１の厚さ又は組み合わせをそれぞれ異ならせることにより、撮像素子４２と光軸との角度を調整し、光軸の傾きを補正することが可能となる。
【００４５】
図５乃至図９に示したカメラモジュールにおいて、スペーサ１、１Ａ、１Ｂを用いたピント調整方法の一例を以下に示す。
ここでは図７を用いて説明する。
まず、レンズ群２０の光軸上で被写体側にチャート５０を配置し、撮像素子４２がレンズ群２０を通してチャート５０を映すように基板４０を仮配置する。
【００４６】
基板４０を図中のＺ方向に移動させながら、撮像素子４２により複数の所定の位置でチャート５０を撮像する。撮像素子４２からの撮像信号に基づいて、撮像素子４２の最適位置を算出する。これは、撮像されるチャート５０のコントラストがピーク若しくは一定値以上になっているかどうかを判定し、ピーク若しくは一定値以上になっていない場合には、基板４０をＺ方向に移動させて再度チャート５０を撮像し、これらの過程をコントラストがピーク若しくは一定値以上となるまで繰り返し行う。コントラストがピーク若しくは一定値以上となる位置が決定したら、レンズ群２０と撮像素子４２とがその位置関係となるようなスペーサ１Ａ、１Ｂの数及び組み合わせを選択し、ポスト３２と基板４０の間にスペーサ１Ａ、１Ｂを介装してこれらをねじ１５により固定する。
【００４７】
また、チャート５０を用いて撮像素子４２のあおり角θｘ、θｙを調整することも可能である。これは、図９に示すように、基板４０をあおり角θｘ、θｙに沿って角度調整しながら上記と同様にして撮像素子４２によりチャート５０を撮像し、撮像されるチャート５０のコントラストが一定値以上となる角度を検出する。そして、検出されたあおり角θｘ、θｙとなるように、複数のポスト３２においてスペーサ１Ａ、１Ｂの数及び組み合わせをそれぞれ選択する。
このように複数のスペーサ１Ａ、１Ｂを用いることにより、精度の高いピント調整を行なうことが可能となる。
【符号の説明】
【００４８】
１、１Ａ、１Ｂ  間隔調整用スペーサ
２    穴部
３、３Ａ、３Ｂ  凹部
４、４Ａ、４Ｂ  凸部
７    凹部底面
８、８Ａ  段差部
１０  スペーサセット
１１  対象物
１２  貫通穴
１５  ねじ
１６  ポスト
１７  ねじ穴
２０  レンズ群
２１  レンズ
３０  レンズホルダ（レンズ保持体）
３１  レンズ保持部
３２  ポスト
３３  ねじ穴
３４  被写体側開口部
３５  結像側開口部
４０  基板
４１  貫通穴
４２  撮像素子
【図１】
2011070072.tif 000003
【図２】
2011070072.tif 000004
【図３】
2011070072.tif 000005
【図４】
2011070072.tif 000006
【図５】
2011070072.tif 000007
【図６】
2011070072.tif 000008
【図７】
2011070072.tif 000009
【図８】
2011070072.tif 000010
【図９】
2011070072.tif 000011
【図１０】
2011070072.tif 000012
【図１１】
2011070072.tif 000013